(57)【要約】【課題】ノイズ放射の発生が少ない携帯情報端末用クレードルを提供する。【解決手段】携帯情報端末の接続端子に接続される第１のコネクタと、情報処理装置に接続するためのケーブルが接続される第２のコネクタとが搭載された配線基板を備える。この配線基板には、第１のコネクタの複数の端子と第２のコネクタの複数の端子とにそれぞれ対応する端子同士を相互接続する接続線が形成されるとともに、これらの接続線のうち信号伝送用の接続線には、第２のコネクタ側に分布定数的にキャパシタ成分を付加する手段が設けられている。そのキャパシタ成分を付加する手段は、具体的には、信号伝送用の接続線１０３・１０４の部分にオーバーラップさせて配線基板１００の表面及び又は裏面に貼り付けた銅箔シールド板（シート）１０７である。【選択図】図１
2006173473.tif 000002
【特許請求の範囲】
【請求項１】
携帯情報端末が載置可能で、載置された携帯情報端末と情報処理装置との間の信号伝送を行うための携帯情報端末用クレードルであって、
携帯情報端末の接続端子に接続される第１のコネクタと、情報処理装置に接続するためのケーブルが接続される第２のコネクタとが搭載された配線基板を備え、
この配線基板には、前記第１のコネクタの複数の端子と前記第２のコネクタの複数の端子とにそれぞれ対応する端子同士を相互接続する接続線が形成されるとともに、
これらの接続線のうち信号伝送用の接続線には、前記第２のコネクタ側に分布定数的にキャパシタ成分を付加する手段が設けられていることを特徴とする携帯情報端末用クレードル。
【請求項２】
前記キャパシタ成分を付加する手段は、前記信号伝送用の接続線の部分にオーバーラップさせて前記配線基板の表面及び又は裏面に貼り付けた銅箔シールド板であることを特徴とする請求項１に記載の携帯情報端末用クレードル。
【請求項３】
前記配線基板は、前記信号伝送用の接続線が中間層に形成された多層配線基板であり、
前記キャパシタ成分を付加する手段は、前記中間層よりも上及び又は下の層に前記信号伝送用の接続線の部分にオーバーラップさせて形成したグランドであることを特徴とする請求項１に記載の携帯情報端末用クレードル。
【請求項４】
前記キャパシタ成分を付加する手段は、前記信号伝送用の接続線に沿ってグランドとの間に分布的に設けられた複数個のコンデンサであることを特徴とする請求項１に記載の携帯情報端末用クレードル。
【請求項５】
前記信号伝送用の接続線は、前記第１のコネクタ側よりも前記第２のコネクタ側が幅広に形成されており、
前記キャパシタ成分を付加する手段は、前記信号伝送用の接続線の前記幅広部であることを特徴とする請求項１に記載の携帯情報端末用クレードル。
【発明の詳細な説明】
【技術分野】
【０００１】
本発明は、携帯電話などの携帯情報端末が載置可能で、当該携帯情報端末とパーソナル・コンピュータなどの情報処理装置との間でデータ伝送を行う際の中継装置として機能する携帯情報端末用クレードル（載置台）に関する。
【背景技術】
【０００２】
近年、携帯電話やＰＤＡ、デジタルカメラなどの携帯情報端末が普及してきており、これに伴い、携帯情報端末とパーソナル・コンピュータなどの情報処理装置との間でデータ伝送を行うための手段として携帯情報端末用クレードルが使用されている。
例えば、特許文献１では、携帯電話とパーソナル・コンピュータとの間でデータ伝送を行う際の中継装置として、携帯電話が載置可能なクレードルが使用されている。
また、特許文献２では、デジタルカメラとパーソナル・コンピュータとの間でデータ伝送を行う際の中継装置として、デジタルカメラが載置可能なクレードルが使用されている。
これらのクレードルでは、パーソナル・コンピュータなどの情報処理装置と接続するケーブルとして、データの高速伝送が可能なＵＳＢ（Universal Serial Bus）ケーブルが使用されており、高速でのデータ通信が可能となっている。
【特許文献１】特開２００３−１６３７３５号公報
【特許文献２】特開２００３−２６４７３７号公報
【発明の開示】
【発明が解決しようとする課題】
【０００３】
本発明者は、携帯電話とノート型パーソナル・コンピュータとをクレードルを介して接続し、携帯電話を介してノート型パーソナル・コンピュータからＷＥＢサイトにアクセスする実験を行い、弱電界下ではＷＥＢサイトの閲覧がスムーズに行えないという不都合があることを発見した。
このような不都合の主要因は、ＵＳＢケーブル伝送インピーダンスとクレードル内のプリント配線基板（ＰＷＢ：Print Wired Board）入力端子間のインピーダンス不整合によりプリント配線基板上に定在波が発生し、その振幅の腹の部分でノイズ放射が発生していることによるものと思われるが、このような不都合は従来報告されておらず、従来の携帯情報端末用クレードルでは、このような不都合に対する対策はとられていなかった。
【０００４】
本発明の目的は、ノイズ放射の発生が少ない携帯情報端末用クレードルを提供することである。
【課題を解決するための手段】
【０００５】
以上の課題を解決するため、請求項１に記載の発明は、携帯情報端末が載置可能で、載置された携帯情報端末と情報処理装置との間の信号伝送を行うための携帯情報端末用クレードルであって、携帯情報端末の接続端子に接続される第１のコネクタと、情報処理装置に接続するためのケーブルが接続される第２のコネクタとが搭載された配線基板を備え、この配線基板には、前記第１のコネクタの複数の端子と前記第２のコネクタの複数の端子とにそれぞれ対応する端子同士を相互接続する接続線が形成されるとともに、これらの接続線のうち信号伝送用の接続線には、前記第２のコネクタ側に分布定数的にキャパシタ成分を付加する手段が設けられていることを特徴とする。
【０００６】
請求項１に記載の発明によれば、第１のコネクタの複数の端子と第２のコネクタの複数の端子とにそれぞれ対応する端子同士を相互接続する接続線のうち信号伝送用の接続線において、第２のコネクタ側に分布定数的にキャパシタ成分を付加する手段が設けられているので、クレードル配線基板側の伝送インピーダンスがケーブル側のインピーダンスとマッチングし、ノイズ放射の発生が少なくなる。
従って、クレードル配線基板の信号伝送用接続線のケーブル側でのノイズを効果的に除去できる。
【０００７】
請求項２に記載の発明は、請求項１に記載の携帯情報端末用クレードルであって、前記キャパシタ成分を付加する手段は、前記信号伝送用の接続線の部分にオーバーラップさせて前記配線基板の表面及び又は裏面に貼り付けた銅箔シールド板であることを特徴とする。
【０００８】
図１は具体例を示すもので、１００はクレードル配線基板、１０１はＵＳＢ電源・ＶBUSライン、１０２はＵＳＢ信号・ＧＮＤライン、１０３はＵＳＢ信号・Ｄ−ライン、１０４はＵＳＢ信号・Ｄ＋ライン、１０５はＧＮＤ、１０６はＵＳＢ・Ｂコネクタ・レセプタクル、１０７は銅箔シールド板（シート）である。
すなわち、図示のように、クレードル配線基板１００には、ＵＳＢ信号・ＧＮＤライン１０２、ＵＳＢ信号・Ｄ−ライン１０３及びＵＳＢ信号・Ｄ＋ライン１０４の反射点であるＵＳＢ・Ｂコネクタ・レセプタクル１０６側（Ｂ端側）に、ＵＳＢケーブルと適切にインピーダンスマッチングが取れるように銅箔シールド板（シート）１０７を部分的に貼って設置する。この銅箔シールド１０７はクレードル配線基板１００の両面に設けている。
【０００９】
これにより、ＵＳＢ信号・Ｄ−ライン１０３及びＵＳＢ信号・Ｄ＋ライン１０４には、銅箔シールド板（シート）１０７による分布的な対ＧＮＤ容量Ｃ成分が付加され、クレードル配線基板１００上の信号ラインの伝送インピーダンスが調整され、ＵＳＢケーブル伝送インピーダンスと整合ができ、反射がなくなる。
これによれば、配線基板を高価な両面／多層基でなく、ローコストな片面基板で実施できる利点がある。
【００１０】
請求項３に記載の発明は、請求項１に記載の携帯情報端末用クレードルであって、前記配線基板は、前記信号伝送用の接続線が中間層に形成された多層配線基板であり、前記キャパシタ成分を付加する手段は、前記中間層よりも上及び又は下の層に前記信号伝送用の接続線の部分にオーバーラップさせて形成したグランドＧＮＤであることを特徴とする。
【００１１】
図２は具体的を示すもので、１１０はクレードル配線基板、１１１は上層、１１２は下層、１１３は中層（信号ラインパターン）、１１４・１１５は表面層（シールドＧＮＤ；銅箔シールドパターン）である。
すなわち、図示のように、クレードル配線基板１１０は、上層１１１と下層１１２の間に中層として信号ラインパターン１１３を設けた多層基板であり、上層１１１及び下層１１２の反射点側（Ｂ端側）に、表面層としてシールドＧＮＤの銅箔シールドパターン１１４・１１５を設けている。
【００１２】
これにより、表裏の銅箔シールドパターン１１４・１１５は、信号ラインに適切な並列容量成分を分布的に与え、信号ラインの伝送インピーダンスマッチングを行う。
これによれば、高価な多層基板を使うが、シールド銅箔を手張り作業で行うことがなく、効率良く組立作業ができる利点がある。
【００１３】
請求項４に記載の発明は、請求項１に記載の携帯情報端末用クレードルであって、前記キャパシタ成分を付加する手段は、前記信号伝送用の接続線に沿ってグランドとの間に分布的に設けられた複数個のコンデンサであることを特徴とする。
【００１４】
図３は具体的を示すもので、図１と同様、１００はクレードル配線基板、１０１はＵＳＢ電源・ＶBUSライン、１０２はＵＳＢ信号・ＧＮＤライン、１０３はＵＳＢ信号・Ｄ−ライン、１０４はＵＳＢ信号・Ｄ＋ライン、１０５はＧＮＤ、１０６はＵＳＢ・Ｂコネクタ・レセプタクルであって、１０８・１０９は小容量コンデンサである。
すなわち、図示のように、クレードル配線基板１００には、ＵＳＢ信号・ＧＮＤライン１０２及びＵＳＢ信号・Ｄ−ライン１０３間と、ＵＳＢ信号・Ｄ＋ライン１０４及びＧＮＤ１０５間とに、反射点のＵＳＢ・Ｂコネクタ・レセプタクル１０６側（Ｂ端側）から分布的に複数個（図示例では４個ずつの定数）の小容量コンデンサ１０８・１０９を設置する。
【００１５】
これにより、信号ライン１０４・１０５の対ＧＮＤ容量Ｃ成分が増加し、基板パターンの伝送インピーダンスがＵＳＢケーブル側の伝送インピーダンスとマッチングし、反射が起きないようになる。
これによれば、分布的に小容量コンデンサ１０８・１０９を入れることから、容易にローコストで実施できる利点がある。
【００１６】
請求項５に記載の発明は、請求項１に記載の携帯情報端末用クレードルであって、前記信号伝送用の接続線は、前記第１のコネクタ側よりも前記第２のコネクタ側が幅広に形成されており、前記キャパシタ成分を付加する手段は、前記信号伝送用の接続線の前記幅広部であることを特徴とする。
【００１７】
図４は具体的を示すもので、図１と同様、１００はクレードル配線基板、１０６はＵＳＢ・Ｂコネクタ・レセプタクルであって、１２３・１２４・１３３・１３４は配線パターンである。
すなわち、図は基板パターンをストリップライン化して伝送インピーダンスを設定する例で、Ｂコネクタ端（Ｂ端）直下は、ＵＳＢの伝送インピーダンス（ノーマル36Ω/差動90Ω）のストリップ信号ライン幅のパターンとする。これにより、信号の反射が防げる。
更に、Ａ端：端末との接続端子側の伝送インピーダンスが、ＵＳＢ伝送インピーダンスより低い場合、伝送インピーダンスはZ0＝√(L/C)であらわされ、これと整合するには、よりＣ成分を大きくして伝送インピーダンスを低くする必要がある。
このため、図４（ａ）に示すように、パターン幅をＢ端からＡ端に向かって太くした配線パターン１２３・１２４にすれば、その配線パターン１２３・１２４に沿ってインピーダンスがなだらかに変換され、より良好なインピーダンスマッチングが行われる。
【００１８】
また、Ａ端：端末との接続端子側の伝送インピーダンスが、ＵＳＢ伝送インピーダンスより高い場合は、図４（ｂ）に示すように、パターン幅をＢ端からＡ端に向かって細くした配線パターン１３３・１３４にすれば良い。
この配線パターン１３３・１３４により良好なインピーダンスマッチングができれば、ＵＳＢ信号中の高周波成分において、反射がなくなり、したがって定在波がなくなり、ノイズの放射源となる振幅の腹の部分がなくなり、ノイズによる端末の感度低下を防ぐことができる。
【００１９】
このように、クレードル配線基板１００として、本格的にＵＳＢ信号ラインを高周波ストリップライン化したもので、両面基板を使う。
この場合、ＵＳＢコネクタ側は、規定のＵＳＢ専用ケーブルが接続されるので、対ＧＮＤインピーダンス約39Ω／差動インピーダンス約90Ωのストリップラインとなるようパターン幅、パターン間隔とする。更に、携帯端末側の接続ばね端のインピーダンスに変換されるよう適切なパターン線幅／線間に設定する。
これにより、クレードル配線基板上は良好なインピーダンス変換がなされ、反射が発生せず、ノイズ放射がなくなる。
また、多層基板を使ったエンデベッデッド・ストリップライン化すれば、よりシールド効果が増す。
【発明の効果】
【００２０】
本発明によれば、クレードル配線基板の信号伝送用接続線のケーブル側に分布定数的なキャパシタ成分付加手段を設けたことにより、伝送インピーダンスがケーブル側のインピーダンスとマッチングし、ノイズ放射の発生が少なくなるため、信号伝送用接続線のケーブル側でのノイズを効果的に除去できる。
【発明を実施するための最良の形態】
【００２１】
以下、図を参照して本発明を実施するための最良の形態を詳細に説明する。
（実施例１）
図５から図１２は本発明を適用した実施例１を示すものである。
図５において、１は携帯情報端末である携帯電話機、２はＵＳＢクレードルである。
携帯電話機１は、図６及び図７に示すように、一対の筐体１０・１１をヒンジ結合した折り畳み式のもので、一方の筐体１１の一側面に充電端子面１２及び信号端子面１３を備えている。図示例では、一対の充電端子面１２の間に三個の信号端子面１３が並んでおり、この充電端子面１２及び信号端子面１３の離れた部分がスイッチ釦動作面１４となっている。
なお、筐体１１のヒンジ結合部側の端部１５には、図示しないアンテナが内蔵されており、このアンテナ内蔵の端部１５の近傍に充電端子面１２及び信号端子面１３が位置している。
【００２２】
ＵＳＢクレードル２は、図８及び図９に示すように、下ケース２０、配線基板２１、上ケース２６及びカバー２７などにより構成されている。
下ケース２０の上方に位置する配線基板２１には、図１０に拡大して示したように、充電端子２２及び信号端子２３が搭載されるとともに、第１マイクロスイッチ（電源線スイッチ）２４及び第２マイクロスイッチ（信号線スイッチ）２５と、電源ケーブル用のコネクタ７及びＵＳＢコネクタ８が搭載されている。充電端子２２及び信号端子２３はバネ状のもので、一対の充電端子２２の間に三本の信号端子２３が並んでおり、三本の信号端子２３に対しその両側の充電端子２２の方が高い（上方に長い）ものとなっている。
この充電端子２２及び信号端子２３の側方に第１マイクロスイッチ２４及び第２マイクロスイッチ２５が離れて配置されている。第１マイクロスイッチ２４及び第２マイクロスイッチ２５は上面に突出するスイッチ操作子２４ａ・２５ａを備えている。第１マイクロスイッチ２４は、電源ケーブル用コネクタ７に接続された電源ラインをオン・オフする。第２マイクロスイッチ２５は、ＵＳＢのＶBUSライン（電源ライン）をオン・オフする。
【００２３】
下ケース２０と合体される上ケース２６は、上面に充電端子２２及び信号端子２３を通す五本のスリット２６ａと、その側方の小孔２６ｂを有するとともに、両側部に上方への突出部２６ｃ・２６ｄと、その内側に位置するガイド片２６ｅと、五本のスリット２６ａを囲む形状のシャッター組込孔２６ｆを有する樹脂一体成形品である。後述するように、五本のスリット２６ａに充電端子２２及び信号端子２３が対応し、小孔２６ｂにスイッチ釦３１が対応し、突出部２６ｃ・２６ｄにロックアーム５・６がそれぞれ対応する。
カバー２７は、上ケース２６の突出部２６ｃ・２６ｄを含む部分の外側に嵌め込むようにして装着される。
【００２４】
スイッチ動作手段３は、回動軸３０にスイッチ釦３１と第１スイッチ動作部材３２及び第２スイッチ動作部材３３を樹脂一体成形して、リターンスプリング３４を設けたものである。
すなわち、回動軸３０の中央にスイッチ釦３１が形成されるとともに、その両側に離れた第１スイッチ動作部材である第１マイクロスイッチ動作カム３２と、第２スイッチ動作部材である第２マイクロスイッチ動作カム３３が形成されている。これらスイッチ釦３１と第１マイクロスイッチ動作カム３２及び第２マイクロスイッチ動作カム３３は、回動軸３０のほぼ直径方向に対向するよう配置されている。
【００２５】
そして、第１マイクロスイッチ動作カム３２及び第２マイクロスイッチ動作カム３３は、外形形状または回動軸３０に対する角度位置を異ならせたものとなっている。また、回動軸３０に対してスイッチ釦３１と反対側にリターンスプリング３４が取り付けられている。
以上のスイッチ動作手段３は、そのスイッチ釦３１を小孔２６ｂに位置させた状態で、回動軸３０の両端部を上ケース２６内に回動自在に軸受して組み付けられている。そして、その回動軸３０と上ケース２６内との間に、上ケース２６に対しスイッチ釦３１を常時上方に付勢するリターンスプリング３４が取り付けられている。
【００２６】
シャッター４は、図５、図８及び図９に示すように、上ケース２６のスリット２６ａに対応する五本のスリット４１を有して、左右一対のアーム部４２を樹脂一体成形したもので、リターンスプリング４３が設けられている。
このシャッター４は、上ケース２６のシャッター組込孔２６ｆに上方から組み付けられるとともに、左右のアーム部４２の先端部で上ケース２６内において揺動自在に組み付けられている。そして、そのアーム部４２と上ケース２６内との間に、上ケース２６に対しシャッター４を常時上方に付勢するリターンスプリング４３が取り付けられている。
【００２７】
装填保持手段は、図９に示すように、左右一対のロックアーム５・６により構成されている。
すなわち、上ケース２６の突出部２６ｃ・２６ｄの内側に、左右のロックアーム５・６がそれぞれ回動自在に組み込まれており、このロックアーム５・６は上端に内側に向けて突出するロック爪５１・６１を有する樹脂製品である。このロックアーム５・６と上ケース２６の突出部２６ｃ・２６ｄ内との間に、ロック爪５１・６１を常時内側方向に付勢するリターンスプリング５２・６２がそれぞれ組み付けられている。
【００２８】
以上のスイッチ動作手段３、シャッター４及びロックアーム５・６を組み込んで前記基板２１を組み付けた上ケース２６に、下ケース２０が合体される。これにより、上ケース２６のスリット２６ａから上方に充電端子２２及び信号端子２３がそれぞれ突出するとともに、小孔２６ｂから上方にスイッチ釦３１が突出する。
但し、携帯電話機１の非装填状態では、図５及び図８に示したように、リターンスプリング４３により常時上方に付勢されたシャッター４によって、充電端子２２及び信号端子２３は覆われた非露出状態となっている。
【００２９】
図１１は携帯電話機１を装填した状態のＵＳＢクレードル２を縦断して示したもので、図示のように、バネ状の信号端子２３が信号端子面１３に接触状態となる。この時、図示しないが、バネ状の充電端子２２も充電端子面１２に接触状態となる。
【００３０】
次に、図１２は図１に示した具体例に対応する実施例１を示すもので、クレードル配線基板２１には、電源ライン（給電ライン）２１１、ＵＳＢ電源・ＶBUSライン２１２、ＵＳＢ信号・Ｄ−ライン２１３、ＵＳＢ信号・Ｄ＋ライン２１４、ＧＮＤ２１５、銅箔シールド板（シート）２１７が設けられている。
電源ライン（給電ライン）２１１は、電源ケーブル用のコネクタ７側の端子と一方の充電端子２２側との間を接続していて、第１マイクロスイッチ（電源線スイッチ）２４側の一対の端子が介在されている。
ＵＳＢ電源・ＶBUSライン２１２は、ＵＳＢコネクタ８側の端子と一本の信号端子２３との間を接続していて、第２マイクロスイッチ（信号線スイッチ）２５側の一対の端子が介在されている。
ＵＳＢ信号・Ｄ−ライン２１３及びＵＳＢ信号・Ｄ＋ライン２１４は、ＵＳＢコネクタ８側の端子と残る二本の信号端子２３との間を接続している。
ここで、図１２は二層基板の表側パターンを示したもので、その端子部以外は絶縁コーティングされており、また、裏側はスルーホール２２１・２２２・２２３の周囲に半田付け用のランドが形成されているだけである。なお、スルーホール２２４・２２５には、充電端子２２・信号端子２３のコイルスプリングの一端がそれぞれ挿入される。
【００３１】
そして、実施例では、図示のように、銅箔シールド板（シート）２１７は、ＵＳＢコネクタ８の設置領域側において、ＵＳＢ電源・ＶBUSライン２１２、ＵＳＢ信号・Ｄ−ライン２１３及びＵＳＢ信号・Ｄ＋ライン２１４を覆い、第１マイクロスイッチ２４の下方まで延びる延長部２１７ａを有する形状で、複数箇所でＧＮＤ２１５に接続して貼り付けられている。この銅箔シールド板（シート）２１７は、第２マイクロスイッチ２５の設置領域を囲む開口部２１７ｂを有している。
また、基板裏側にも同様のパターンの銅箔シールド板（シート）２１７を貼り、スルーホール２２６による接続で表側のＧＮＤ２１５に接続する。
【００３２】
このように、信号伝送用の接続線（Ｄ−ライン２１３及びＤ＋ライン２１４）を覆うように、配線基板２１の表面及び又は裏面に銅箔シールド板（シート）２１７を貼り付けることにより、信号伝送用の接続線（Ｄ−ライン２１３及びＤ＋ライン２１４）と銅箔シールド板（シート）２１７との間に分布定数的にキャパシタ成分が付加される。
【００３３】
ところで、信号伝送用の接続線（Ｄ−ライン及びＤ＋ライン）の総て（ＵＳＢコネクタ部分からコイルスプリングの部分まで）を覆うように、配線基板の表面及び又は裏面に銅箔シールド板（シート）を貼り付けた場合、及び信号伝送用の接続線（Ｄ−ライン及びＤ＋ライン）のコイルスプリング側を覆うように、配線基板の表面及び又は裏面に銅箔シールド板（シート）を貼り付けた場合には、ノイズの発生を十分抑えることはできなかった。
【００３４】
しかし、図１２に示すように、信号伝送用の接続線（Ｄ−ライン２１３及びＤ＋ライン２１４）のＵＳＢコネクタ８側を覆うように、配線基板２１の表面及び又は裏面に銅箔シールド板（シート）２１７を貼り付けることにより、ノイズの発生を大幅に抑えることができた。
【００３５】
なお、以上の実施例においては、卓上式のＵＳＢクレードルとしたが、本発明はこれに限定されるものではなく、例えば壁掛け式であっても良く、要はデータ通信が可能なクレードルであれば良い。
同じく実施例では、折り畳み式携帯電話機としたが、折り畳み式でない一体型の携帯電話機やＰＤＡなど他の携帯情報端末であっても良い。
また、携帯情報端末の装填方式は実施例の横向きに限らず縦向きでもよい。
その他、端子の具体的な細部構造等についても適宜に変更可能であることは勿論である。
【００３６】
（実施例２）
図１３から図１５は本発明を適用した実施例２を示すもので、図２に示した具体例に対応する。
まず、図１３は図２に示した具体例に対応する実施例２を示すもので、クレードル配線基板２１を構成する三層基板（又は四層基板）の第１層２３０のパターンを示している。図中、２３１・２３２・２３３・２３４・２３５・２３６は図１２のスルーホール２２１・２２２・２２３・２２４・２２５・２２６に対応するスルーホールである。このうちスルーホール２３１・２３２・２３３・２３４は、図１４に示す第２層２１０のＧＮＤ２１５と接続するためのものである。
図示のように、第１層２３０に銅箔シールドパターン２３７を設けている。この銅箔シールドパターン２３７は、図１２の銅箔シールド板（シート）２１７の延長部２１７ａ及び開口部２１７ｂと同様の延長部２３７ａ及び開口部２３７ｂを有するとともに、図示上方への延長部２３７ｃを有している。
なお、スルーホール２３８は、第２層２１０の電源ライン２１１と接続するためのものであり、スルーホール２３９は、第２層２１０のＵＳＢ電源・ＶBUSライン２１２と接続するためのものである。
【００３７】
そして、図１４は三層基板（又は四層基板）の第２層２１０のパターンを示している。
図示のように、第２層２１０は、図１２と同様の電源ライン（給電ライン）２１１、ＵＳＢ電源・ＶBUSライン２１２、ＵＳＢ信号・Ｄ−ライン２１３、ＵＳＢ信号・Ｄ＋ライン２１４、ＧＮＤ２１５、スルーホール２２１・２２２・２２３・２２４・２２５・２２６を有している。
【００３８】
また、図１５は三枚基板の第３層２４０のパターンを示している。
図示のように、第３層２４０は、図１３の第１層２３０のスルーホール２３１・２３２・２３３・２３４・２３５・２３６・２３８・２３９及び銅箔シールドパターン２３７と同様のスルーホール２４１・２４２・２４３・２４４・２４５・２４６・２４８・２４９及び銅箔シールドパターン２４７を有している。
【００３９】
（変形例）
図１６は図１３に示した実施例２の変形例を示すもので、四枚基板で第３層にパターンを一切形成しなかった場合の第４層２５０のパターンを示している。
図示のように、第４層２５０は、第１層２３０のスルーホール２３１・２３２・２３３・２３４・２３５・２３６・２３８・２３９及び銅箔シールドパターン２３７と同様のスルーホール２５１・２５２・２５３・２５４・２５５・２５６・２５８・２５９及び銅箔シールドパターン２５７を有している。
この場合、信号用ラインを形成した第２層２１０と第４層２５０との間に誘電体層が２層入ることになり、誘電体層が厚くなるので、銅箔シールドパターン２５７は延長部２５７ａで示したように、第１層２３０の銅箔シールドパターン２３７よりも信号用ラインと重なるグランドの長さが少し長くなっている。
【００４０】
なお、以上の実施例の他、信号伝送用の接続線（Ｄ＋ライン及びＤ−ライン）に沿ってグランドとの間に分布的に複数個のコンデンサを設けるようにしても良い（図３参照）。
また、信号伝送用の接続線（Ｄ＋ライン及びＤ−ライン）の幅を第１のコネクタ側（コイルスプリング側）と第２のコネクタ側（ＵＳＢコネクタ側）との間で徐々に異なるように形成し、望ましくはテーパ状に形成するようにしても良い（図４参照）。
【００４１】
また、実施例では、携帯情報端末の接続端子に接続される第１のコネクタをコイルスプリングタイプのもので構成したが、板バネタイプやコイルスプリングピンタイプ（金属筒内に組み込まれてコイルスプリングにより金属ピンを突出させたもの）など他のタイプのもので構成しても良い。
更に、携帯情報端末が通信ケーブルを直接接続できるＵＳＢコネクタのようなコネクタを備えている場合には、第１のコネクタは携帯情報端末に備えられているコネクタに対応する雄コネクタであっても良い。
【００４２】
更に、実施例では、携帯電話用のクレードルを例に説明したが、パーソナル・コンピュータなどの情報処理装置とクレードルとを接続する通信ケーブルの伝送インピーダンスとクレードル内のプリント配線基板（ＰＷＢ：Print Wired Board）入力端子間のインピーダンス不整合により発生するノイズ放射は、無線信号を受信する際だけでなく、クレードルに搭載されている携帯情報端末の内部回路間の信号伝送にも悪影響を及ぼす可能性があるので、本発明は、携帯電話のように無線通信機能を備えた携帯情報端末だけでなく、ＰＤＡやデジタルカメラのような無線通信機能を持たない携帯情報端末用のクレードルにも適用可能である。
また、パーソナル・コンピュータなどの情報処理装置とクレードルとを接続する通信ケーブルは、ＵＳＢケーブルに限らず、ＩＥＥＥ１３９４などでも良い。
【図面の簡単な説明】
【００４３】
【図１】本発明によるクレードル基板の構成例を示すもので、請求項２に対応する具体例を示した模式図である。
【図２】本発明によるクレードル基板の構成例を示すもので、請求項３に対応する具体例を示した模式図である。
【図３】本発明によるクレードル基板の構成例を示すもので、請求項４に対応する具体例を示した模式図である。
【図４】本発明によるクレードル基板の構成例を示すもので、請求項５に対応する具体例を示した模式図（ａ）（ｂ）である。
【図５】本発明を適用した実施例１を示すもので、ＵＳＢクレードルへの携帯情報端末の装填の仕方を示した概略正面図である。
【図６】図５の携帯端末を下方から見た底面図である。
【図７】携帯情報端末を示す斜視図である。
【図８】ＵＳＢクレードルを示した斜視図である。
【図９】図８のＵＳＢクレードルの分解斜視図である。
【図１０】図９の基板部分の拡大図である。
【図１１】携帯情報端末装填状態のＵＳＢクレードルを縦断して示した側面図である。
【図１２】図１に示した具体例に対応する実施例１を示すもので、基板のパターンを示した平面図である。
【図１３】本発明を適用した実施例２として、図２に示した具体例に対応する実施例を示すもので、三層基板（又は四層基板）の第１層のパターンを示した平面図である。
【図１４】第２層のパターンを示した平面図である。
【図１５】第３層のパターンを示した平面図である。
【図１６】図１３に示した実施例２の変形例を示した平面図である。
【符号の説明】
【００４４】
１  携帯情報端末
２  クレードル
２１  配線基板
２３  信号端子
８  ＵＳＢコネクタ
１００  配線基板
１０２・１０３・１０４  信号伝送の接続線（ＵＳＢ信号ライン）
１０６  ＵＳＢ・Ｂコネクタ・レセプタクル
１０７  銅箔シールド板（シート）
１０８・１０９  小容量コンデンサ
１１０  配線基板
１１１  上層
１１２  下層
１１３  中層（信号ラインパターン）
１１４・１１５  表面層（シールドＧＮＤ；銅箔シールドパターン）
１２３・１２４・１３３・１３４  配線パターン
２１０  第２層
２１３・２１４  信号伝送の接続線（ＵＳＢ信号ライン）
２１７  銅箔シールド板（シート）
２３０  第１層
２３７  銅箔シールドパターン
２４０  第３層
２４７  銅箔シールドパターン
２５０  第４層
２５７  銅箔シールドパターン
【図１】
2006173473.tif 000003
【図２】
2006173473.tif 000004
【図３】
2006173473.tif 000005
【図４】
2006173473.tif 000006
【図５】
2006173473.tif 000007
【図６】
2006173473.tif 000008
【図７】
2006173473.tif 000009
【図８】
2006173473.tif 000010
【図９】
2006173473.tif 000011
【図１０】
2006173473.tif 000012
【図１１】
2006173473.tif 000013
【図１２】
2006173473.tif 000014
【図１３】
2006173473.tif 000015
【図１４】
2006173473.tif 000016
【図１５】
2006173473.tif 000017
【図１６】
2006173473.tif 000018